(57)【要約】【課題】  帯状のノイズを生じる。【解決手段】  概略板状に形成されるとともに開口部分を有する本体板を備え、同開口部分で写真フィルムの撮影部位を視認可能に保持する写真フィルムホルダーであって、前記開口部分の大きさを変更する開口部分調整機構を備える。フィルムスキャンを行うスキャナーに使用される写真フィルムホルダにおいて、ホルダの窓枠サイズをスキャンする写真フィルムの撮像幅に合わせて最適な幅に調整する機構を具備することで、撮像幅の外側から漏れ込み、スキャン画像に影響を及ぼす入射光をカットすることが可能になる。【選択図】  図２
2015171062.tif 000002
【特許請求の範囲】
【請求項１】
開口部分を有する本体板を備え、同開口部分で写真フィルムの撮影部位を視認可能に保持する写真フィルムホルダーであって、前記開口部分の大きさを変更する開口部分調整機構を備えたことを特徴とする写真フィルムホルダー。
【請求項２】
前記本体板は、前記開口部分を形成されて同開口部分から前記撮影部位が外部から視認可能な状態として前記写真フィルムを挟み込むようにして保持可能な第一板と第二板とを備え、
前記本体板の厚さ方向において、前記開口部分調整機構、前記第一板、前記第二板の順に設けられていることを特徴とする請求項１に記載の写真フィルムホルダー。
【請求項３】
前記開口部分調整機構は、前記開口部分における前記写真フィルムの横方向の幅、又は前記本体板の短手方向における前記開口部分の幅を広げあるいは狭める幅調整板を有することを特徴とする請求項１または請求項２に記載の写真フィルムホルダー。
【請求項４】
前記幅調整板は、前記開口部分の両側で互いに近接しあるいは離反可能に支持された一対の板材を有することを特徴とする請求項３に記載の写真フィルムホルダー。
【請求項５】
前記本体板は、二列の平行な前記開口部分を形成しており、各開口部分の両側に前記一対の板材を配置し、この一対の板材が同期して近接あるいは離反可能なように第一のリンク機構で支持され、かつ、前記二列の開口部分の間には、それぞれの開口部分に対応して支持されている一対の板材を同期して近接あるいは離反させる第二のリンク機構を備えていることを特徴とする請求項４に記載の写真フィルムホルダー。
【請求項６】
前記一対の板材は、個別に前記開口部分の幅を広げあるいは狭めるようにスライド可能に支持されていることを特徴とする請求項４に記載の写真フィルムホルダー。
【請求項７】
前記写真フィルムは、長手方向に所定の間隔を開けて複数の前記撮影部位が位置しており、前記幅調整板の一対の板材は、前記撮影部位の並び方向と平行に配置され、並び方向と直交方向における前記開口部分の幅を広げあるいは狭めるように同期して駆動されることを特徴とする請求項４〜請求項６のいずれかに記載の写真フィルムホルダー。
【発明の詳細な説明】
【技術分野】
【０００１】
本発明は、写真フィルムホルダーに関し、特に、フィルムスキャンを行う際に写真フィルムを固定する写真フィルムホルダーに関する。
【背景技術】
【０００２】
図１１は、従来の写真フィルムホルダーを断面図により示している。
フィルムスキャンを行う際に、写真フィルム１を固定する写真フィルムホルダー２においては、写真フィルム１を固定する窓枠３のサイズは、写真フィルム１の撮像エリアを窓枠３で覆ってしまうことにより、データを欠落させないように、考えられうる撮像エリアの最大幅よりも大きくなる幅となるように作られていた。
【０００３】
一方、実際の写真フィルム１の撮像幅は、例えば３５ｍｍ写真フィルムを使用しても、カメラ毎に微妙に異なる幅を持っている。そのため、実際の写真フィルム１の撮像エリア（撮影部位）４と写真フィルムホルダー２の窓枠３との間には、画像データのない余白部分５が存在するのが通常である。
特許文献１に示す写真フィルムホルダーも同様の空白部分５は生じる。
【先行技術文献】
【特許文献】
【０００４】
【特許文献１】特許第４６５５５４６号公報
【発明の概要】
【発明が解決しようとする課題】
【０００５】
図１２は、帯状のノイズを図により示している。
ネガ写真フィルムの場合、余白部分５は透過率の高いエリアとなっているため、フィルムスキャン用の光源から、この空白部分５を通じて原稿台ガラス６に入光した光７が、同原稿台ガラス６の表面で反射して写真フィルム面へ照射することにより、画像に明るい帯状のノイズ８が現れることがあった。
【０００６】
空白部分５が生じるのは、特許文献１に開示されるものも同様であった。
本発明は、以上のような帯状のノイズを抑制するようにする。
【課題を解決するための手段】
【０００７】
本発明は、概略板状に形成されて開口部分を有する本体板を備え、同開口部分で写真フィルムの撮影部位を視認可能に保持する写真フィルムホルダーであって、前記開口部分の大きさを変更する開口部分調整機構を備えた構成としてある。
前記構成において、本体板は概略板状に形成されて開口部分を有しており、同開口部分で写真フィルムの撮影部位を視認可能な状態として同写真フィルムを保持する。また、開口部分調整機構を備えており、前記開口部分の大きさを変更できる。なお、開口とは、光を遮る領域中の光を透過する領域を意味する。ただし、光を透過する領域の全周に光を遮る領域がある必要はなく、光を遮る領域の外側とつながっていてもよい。
【０００８】
開口部分が写真フィルムの撮影エリアよりも広くて余白部分が生じた場合、開口部分調整機構によって開口部分を狭めることで、余白部分が無くなるので帯状のノイズも生じなくなる。
【発明の効果】
【０００９】
本発明によれば、本体板に形成される開口部分の大きさを開口部分調整機構によって変更できるので、写真フィルムの実際の撮影部位の大きさに対応させて開口部分の大きさを調整することができ、帯状のノイズも生じなくなる。
【図面の簡単な説明】
【００１０】
【図１】写真フィルムホルダーの斜視図である。
【図２】写真フィルムホルダーの底面図である。
【図３】写真フィルムホルダーのＡ−Ａ線断面図である。
【図４】写真フィルムホルダーの部分拡大斜視図である。
【図５】写真フィルムホルダーの動作を説明する模式図である。
【図６】写真フィルムホルダーの動作を説明する模式図である。
【図７】写真フィルムホルダーの部分拡大斜視図である。
【図８】変形例にかかる写真フィルムホルダーの底面図である。
【図９】写真フィルムホルダーの部分拡大斜視図である。
【図１０】写真フィルムホルダーのＢ−Ｂ線部分断面図である。
【図１１】従来の写真フィルムホルダーの断面図である。
【図１２】帯状のノイズを示す図である。
【発明を実施するための形態】
【００１１】
（第一実施例）
以下、図面にもとづいて本発明の実施形態を説明する。
図１は、写真フィルムホルダーを斜視図により示している。
同図において、本体板１０は、基板１１と可動蓋１２とを備えている。基板１１の上面側には、可動蓋１２が概ね面一となるようには概略矩形の凹部１１ａを形成してある。可動蓋１２は凹部１１ａにおける短辺の側に対して図示しないヒンジ機構を介して脱着可能かつ枢動可能に支持されている。この基板１１と可動蓋１２とが第一板と第二板とを構成し、両者で概略板状の本体板１０を形成している。ここで、基板１１と可動蓋１２のいずれが第一板と第二板に対応していても構わないし、いずれが上でいずれが下であるかも問わない。
【００１２】
基板１１と可動蓋１２には、それぞれ対応する位置に概略短冊状とした長四角の開口部分１１ｂ，１２ｂを形成されている。それぞれの開口部分１１ｂ，１２ｂは、さらに二つの開口部分１１ｂ１，１１ｂ２，１２ｂ１，１２ｂ２とから構成されている。これらの開口部分１１ｂ１，１１ｂ２，１２ｂ１，１２ｂ２自体については詳述しないが、本実施例においては、３５ｍｍのネガ写真フィルム（または単に写真フィルムと呼ぶ）Ｆを所定長に切断した状態で、二本を同時に開口部分１１ｂ，１１ｂに沿って載置して可動蓋１２を閉じると、基板１１の側と可動蓋１２との側でネガ写真フィルムＦの長辺を挟持してネガ写真フィルムＦを保持する。ネガ写真フィルムＦは長手方向に複数ショットずつの撮影部位Ｓが形成されているが、長辺の縁との間には余白部分Ｌが生じている。ネガ写真フィルムＦにおいて非撮影部位である余白部分Ｌは透光性の高い領域である。開口部分１１ｂ１，１１ｂ２，１２ｂ１，１２ｂ２の短手方向における開口部分幅は撮影部位Ｓの幅よりも広い、そして、余白部分だけが基板１１と可動蓋１２とで挟持されるため、この写真フィルムホルダーは、開口部分１１ｂ，１２ｂでネガ写真フィルムＦの撮影部位Ｓを視認可能に保持することができる。
このように本体板１０は、開口部分を形成されて同開口部分から前記撮影部位が外部から視認可能な状態として前記写真フィルムを挟み込むようにして保持可能な第一板と第二板とを備えている。
【００１３】
このように写真フィルムＦは、長手方向に所定の間隔を開けて複数の撮影部位Ｓが位置している。また、本体板１０は、前記開口部分１１ｂ，１２ｂを形成されて同開口部分１１ｂ，１２ｂから前記撮影部位Ｓが外部から視認可能な状態として前記写真フィルムＦを挟み込むようにして保持可能な第一板と第二板に相当する基板１１と可動蓋１２とを備えている。
【００１４】
図２は、写真フィルムホルダーを底面図により示しており、図３は、Ａ−Ａ線断面図により示しており、図４は、部分拡大斜視図により示している。
本体板１０の底面側には、それぞれ対となる板材２１ａ（２１ａ１，２１ａ２）と板材２１ａ（２１ａ１，２１ａ２）からなる幅調整板２１，２１が配置されている。開口部分１１ｂ１に着目すると、板材２１ａ１，２１ａ２は、この開口部分１１ｂ１における長手方向の両側に配置されており、その両端にて一対の第一のリンク機構２２ａによって支持されている。第一のリンク機構２２ａは、リンクレバー２２ａ１，２２ａ２を備え、同リンクレバー２２ａ１は前記開口部分１１ｂ１における短手方向の一方の縁部の外側の位置で本体板１０に対して中央部分を支点として同本体板１０と平行な平面で所定角度だけ回動可能に支持され、両端にて板材２１ａ１，２１ａ２の端部に対して前記本体板１０を平行な平面内で回転可能に連結されている。同様の同リンクレバー２２ａ２が開口部分１１ｂ１における短手方向の他方の縁部の外側の位置に配置されており、各リンクレバー２２ａ１，２２ａ２と、一対の板材２１ａ１，２１ａ２とが、平行四辺形を形成するように配置されていることになる。また、リンクレバー２２ａ１，２２ａ２はその中央で所定角度だけ回動可能に支持されているので、この平行四辺形は一対の板材２１ａ１，２１ａ２が平行な状態を保ちつつ、その間の距離を所定範囲だけ狭めたり広げたりすることが可能である。
【００１５】
写真フィルムＦとの関係では、幅調整板２１，２１の一対の板材２１ａ１，２１ａ２は、撮影部位Ｓの並び方向と平行に配置され、並び方向と直交方向における開口部分１１ｂ，１２ｂの幅を広げあるいは狭めるように同期して駆動されるようになっている。
なお、リンクレバー２２ａ１，２２ａ２は、中央の支軸部分が板材２１ａ１，２１ａ２の厚み分だけかさ上げするような厚みになっており、その上部から延設された部位が板材２１ａ１，２１ａ２の上側（本体板１０と反対の側）から板材２１ａ１，２１ａ２を本体板１０との間に挟み込むように連結しており、板材２１ａ１，２１ａ２をぐらつかせないようにして支持することができる。
【００１６】
このように、開口部分１１ｂ，１２ｂの大きさを変更する開口部分調整機構を備えている。ここで、開口部分調整機構は、開口部分１１ｂ、１２ｂにおける写真フィルムＦの横方向の幅を広げあるいは狭める幅調整板を有している。本実施例では横方向の幅を変更するが、写真フィルムを載置する形態によっては縦方向の幅を広げるあるいは狭める幅調整板としてもよい。むろん、この幅調整板は、開口部分１１ｂ，１２ｂの両側で互いに近接しあるいは離反可能に支持された一対の板材２１ａ１，２１ａ２を有している。
このように、本体板１０の厚さ方向において、開口部分調整機構、第一板、第二板の順に設けられている。
また、開口部分調整機構は、開口部分における写真フィルムの横方向の幅、又は本体板１０の短手方向における開口部分の幅を広げあるいは狭める幅調整板を有している。
【００１７】
さらに、平行に配置される板材２１ａ１，２１ａ２の両端を一対の第一のリンク機構２２ａ１，２２ａ２によって連結することにより、各リンクレバー２２ａ１，２２ａ２と、一対の板材２１ａ１，２１ａ２とが、平行四辺形を形成しており、この平行四辺形は一対の板材２１ａ１，２１ａ２が平行な状態を保ちつつ、その間の距離を所定範囲だけ狭めたり広げたりすることが可能である。
【００１８】
このように、本体板１０は、二列の平行な開口部分１１ｂ，１２ｂを形成され、各開口部分１１ｂ，１２ｂの両側に一対の板材２１ａ１，２１ａ２を配置しており、第一のリンク機構によって、一対の板材２１ａ１，２１ａ２が同期して近接あるいは離反する。
さらに、二列の平行な開口部分１１ｂ，１２ｂの間の桟に相当する部分の幅方向の中央には、リンクレバー２２ａ１と同様に本体板１０に対して中央部分を支点として同本体板１０と平行な平面で所定角度だけ回動可能に支持されたリンクレバー２２ｂ１を備えている。リンクレバー２２ｂ１の両端は、開口部分１１ｂの側においては板材２１ａ１に、開口部分１２ｂの側においては板材２１ａ２に対して本体板１０と平行な平面で回転可能に連結されている。
【００１９】
図５と図６は、写真フィルムホルダーの動作を説明する模式図により示して
例えば、図５（ａ）に示すように、開口部分１１ｂの側で板材２１ａ１が外側に広がるように移動するとき、リンクレバー２２ｂ１を時計方向に回転させるため、リンクレバー２２ｂ１の反対側の端部が開口部分１２ｂの側における板材２１ａ２を引きつける、言い換えれば同板材２１ａ２を開口部分１２ｂに対して外側に広がるように移動させる。この結果、同図（ｂ）に示すように、３５ｍｍ写真ネガフィルムとして、撮影部位Ｓが広めの幅（Ｂｄ１）の場合に対応できるようになる。
【００２０】
逆に、図６（ａ）に示すように、開口部分１１ｂの側で板材２１ａ１が内側に狭まるように移動するとき、リンクレバー２２ｂ１を反時計方向に回転させるため、リンクレバー２２ｂ１の反対側の端部が開口部分１２ｂの側における板材２１ａ２を外側に押し出す。言い換えれば同板材２１ａ２を開口部分１２ｂに対して内側に狭めるように移動させる。この結果、同図（ｂ）に示すように、３５ｍｍ写真ネガフィルムとして、撮影部位Ｓが狭めの幅（Ｂｄ２）の場合に対応できるようになる。
【００２１】
上述したように、開口部分１１ｂ，１２ｂのそれぞれにおいて、板材２１ａ１，２１ａ２は同期して広がりあるいは狭まるようにリンクレバー２２ａ１で連結されているから、リンクレバー２２ｂ１により、両方の開口部分１１ｂ，１２ｂで板材２１ａ１，２１ａ２は同期して広がりあるいは狭まるように移動する。
このように、二列とした一対の開口部分１１ｂ，１２ｂの間には、それぞれの開口部分１１ｂ，１２ｂに対応して支持されている一対の板材２１ａ１，２１ａ２を同期して近接あるいは離反させる第二のリンク機構としてのリンクレバー２２ｂ１を備えている。
【００２２】
本体板１０は一方の短辺の側には長手方向に向けて幅方向に広がる切り欠き部分１１ｃを形成されている。この切り欠き部分１１ｃは本体板１０を切り欠いて形成されているので途中に遮るものは何もなく、図示しないスキャナーにセットされたときに光源からの照射光は当該切り欠き部分１１ｃを通過して反対側に対峙しているライン状のセンサーに到達する。この照射光は全てのセンサーに対して均等に到達しているので、センサーの出力のキャリブレーションに利用することができる。
また、本体板１０の一方の長辺の側には、二カ所に平たい突起１１ｄ，１１ｄが形成されている。この突起１１ｄ，１１ｄにより、本体板１０が表を向いているのか裏を向いているのかが一瞥して理解できるようになっている。
【００２３】
図７は、写真フィルムホルダーの部分拡大斜視図により示している。
本体板１０の他方の短辺の側に近い部位には、板厚方向に貫通する操作穴１１ｅが形成されている。操作穴１１ｅ内には、開口部分１１ｂにおける板材２１ａ２と開口部分１２ｂにおける板材２１ａ１の端部が露出している。この板材２１ａ２，２１ａ１は、リンクレバー２２ｂ１に連結されているものである。リンクレバー２２ｂ１にて連結された板材２１ａ２，２１ａ１は、一方が前記切り欠き部位１１ｃの側に移動するとき、他方が反対の側に移動する。また、一方が前記切り欠き部位１１ｃのと反対の側に移動するとき、他方が切り欠き部位１１ｃの側に移動する。
【００２４】
写真フィルムＦをセットしたとき、撮影部位Ｓの幅が通常よりも広かったとしたら、図面において、左側の板材２１ａ２を図５（ａ）に示すように押し上げる（切り欠き部位１１ｃの側に押す）。すると、リンクレバー２２ｂ１が時計方向に回転し、右側の板材２１ａ１を押し下げる（切り欠き部位１１ｃと反対の側に押す）。これにより、両方の開口部位１１ｂ，１２ｂで板材２１ａ１，２１ａ２の間隔が広がる。
【００２５】
逆に、写真フィルムＦをセットしたとき、撮影部位Ｓの幅が通常よりも狭かったとしたら、図面において、右側の板材２１ａ１を図６（ａ）に示すように押し上げる（切り欠き部位１１ｃの側に押す）。すると、リンクレバー２２ｂ１が反時計方向に回転し、左側の板材２１ａ２を押し下げる（切り欠き部位１１ｃと反対の側に押す）。これにより、両方の開口部位１１ｂ，１２ｂで板材２１ａ１，２１ａ２の間隔が狭まる。
操作穴１１ｅ内で板材２１ａ１，２１ａ２を引く動作をするのは操作しにくいが、押す動作をするのは操作しやすい。このため、操作穴１１ｅ内で板材２１ａ２，２１ａ１の一方を押し上げる動作だけで広げるのも狭めるのも実現でき、操作しやすい。
なお、第二のリンク機構としてのリンクレバー２２ｂ１は、２本を平行に設けてもよいし、２本をＸ字状に交差させてもよい。
【００２６】
（第二実施例）
図８は、変形例にかかる写真フィルムホルダーを底面図により示しており、図９は、部分拡大斜視図により示しており、図１０は、Ｂ−Ｂ線部分断面図により示している。
上述した実施例では、第一のリンク機構と、第二のリンク機構とにより、一対の板材２１ａ１，２１ａ２が同期して駆動されるようになっている。しかし、このようにすると撮影部位Ｓが写真フィルムＦ上で正確に中央に配置されていないといけない。これが幅方向にずれていると、一方の帯状のノイズを解消できるようにベストな位置に設定したときに、反対側では撮影部位Ｓに重なりすぎてデータを無くしてしまったり、余白部位を十分に遮蔽できずに帯状のノイズが出るようになったりする。
【００２７】
本実施例では、一対の板材は、個別に前記開口部分の幅を広げあるいは狭めるようにスライド可能に支持されている。
本体板３０には、開口部位３１ｂが一つだけ形成されており、本体板３０の短手方向と平行に、同開口部位３１ｂの両端に直線状の貫通溝３１ｆ，３１ｆを形成してある。また、開口部位３１ｂの幅を調整するための開口調整板として板材３１ａ１，３１ａ２を形成するとともに、それぞれの各板材３１ａ１，３１ａ２における前記貫通溝３１ｆ，３１ｆに対面する部分には、スナップピン３１ｇ，３１ｇを形成してある。スナップピン３１ｇ，３１ｇは全体として円柱状であるが、先端から奥に向けて中心をとおる溝３１ｈ，３１ｈが形成されている。また、先端には外側に向けて広がる引っかけ部位３１ｊ，３１ｊが形成されている。
【００２８】
引っかけ部位３１ｊ，３１ｊの方が貫通溝３１ｆ，３１ｆの開口幅より大きいと、スナップピン３１ｇ，３１ｇを貫通溝３１ｆ，３１ｆに対面して押し付けるときに、中央に溝３１ｈ，３１ｈがあるので、外側から内側に向けてわずかに撓むことができる。また、引っかけ部位３１ｊ，３１ｊが貫通溝３１ｆ，３１ｆを通解した時点で撓みがとれるので、引っかけ部位３１ｊ，３１ｊによってスナップピン３１ｇ，３１ｇの抜け止めがはかれる。
【００２９】
このようにすることで、板材３２ａ１，３２ａ２の両端は貫通溝３１ｆ，３１ｆで支持され、自由な位置に板材３２ａ１，３２ａ２を配置できる。むろん、その位置は上述したように写真フィルムの撮影部位Ｓの幅に対応させるためである。
（その他の変形例）
上述した実施例においては、写真フィルムＦにおける短手方向の幅を調整している。すなわち、撮影部位Ｓにおける同幅方向で生じる両側のノイズを削減しており、長手方向の幅の異同についての対策はしていないが、写真フィルムの配置によっては、上述したのと同様に、長手方向の幅を調整して余白を生じさせないように構成しても良い。
ただし、ラインセンサーでスキャンする場合には走査方向と直交する方向の余白が撮影部位Ｓに影響を与えるので、撮影部位Ｓの間の余白には対策はほぼ必要ない。この走査方向と直交する方向は、通常は、センサー及び光源がライン状に並ぶ方向であり、写真フィルムホルダーや配置された写真フィルムの短手方向でもある。
また、幅を調整する機構は、基板１１と可動蓋１２とのどちらに設けてもよいし、一方に短手方向の幅を調整する機構を設け、他方に長手方向の幅を調整する機構を設けでもよい。また、窓１１ｂや１２ｂの、どちらか、又は、どちらもが、外部とつながっていてもよい。また、本明細書で板という語を用いているが、平板に限られず、表面に凹凸を有していたり、穴が形成されていたりしてもよい。また、幅方向を調整する機構は、幅方向の一辺を移動させ、対辺は移動させないことで調整をしてもよい。また、開口部分１１ｂ，１２ｂには、アンチニュートンリング板が取り付けられていてもよい。
【００３０】
なお、本発明は前記実施例に限られるものでないことは言うまでもない。当業者であれば言うまでもないことであるが、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【符号の説明】
【００３１】
１０…本体板、１１…基板、１１ａ…凹部、１１ｂ…開口部位、１１ｂ１，１１ｂ２…開口部分、１１ｃ…切り欠き部位、１１ｄ…突起、１１ｅ…操作穴、１２…可動蓋、１１ｂ，１２ｂ…開口部位、１１ｂ１，１１ｂ２，１２ｂ１，１２ｂ２…開口部分、２１…幅調整板、２１ａ２，２１ａ１…板材、２２ａ，２２ｂ１…リンク機構、２２ａ１，２２ａ２…リンクレバー、３０…本体板、３１ａ１，３１ａ２…板材、３１ｂ…開口部位、３１ｆ…貫通溝、３１ｇ…スナップピン、３１ｈ…溝、３１ｊ…引っかけ部位。
【図１】
2015171062.tif 000003
【図２】
2015171062.tif 000004
【図３】
2015171062.tif 000005
【図４】
2015171062.tif 000006
【図５】
2015171062.tif 000007
【図６】
2015171062.tif 000008
【図７】
2015171062.tif 000009
【図８】
2015171062.tif 000010
【図９】
2015171062.tif 000011
【図１０】
2015171062.tif 000012
【図１１】
2015171062.tif 000013
【図１２】
2015171062.tif 000014